(57)【特許請求の範囲】
【請求項１】
その軸が水平より傾斜し、且つ、廃棄物の排出口をそれぞれ有する複数の篩網が同心円状で外側のもの程網目が小さくなるように設けられた篩部本体と、該篩部本体の前記廃棄物の供給側に一体的に連結され、且つ、前記廃棄物を最も内側に設けられた前記篩網に供給するための開口部を有する供給側ドラムと、前記篩部本体の前記廃棄物の排出側に一体的に連結された排出側ドラムと、前記供給側ドラム及び排出側ドラムを回転可能に支持する支持部材と、前記篩部本体、供給側ドラム及び排出側ドラムを回転駆動する駆動装置と、を具備して、基材、大きさ等が異なる状態にある前記廃棄物を粒度ごとに分別する回転篩と、前記複数の篩網の排出口のそれぞれから排出される粒度の異なる廃棄物の比重ごとの落下点を一致させるようにあらかじめ個別に設定された風力を付与する複数の吹出し口を具備して分別された前記廃棄物の粒度に応じた風力を付与する風力付与装置と、からなる廃棄物分別装置を用いて、前記廃棄物を基材の種類ごとに分別する廃棄物の分別方法であって、
前記駆動装置により前記篩部本体、供給側ドラム及び排出側ドラムを回転駆動することによって前記供給ドラムの開口部から最も内側に設けられた前記篩網に供給された前記廃棄物を粒度ごとに分別し、
その分別されて前記複数の篩網の各排出口から排出される廃棄物に前記風力付与装置の各吹出し口から粒度に応じて設定された前記風力を付与することを特徴とする廃棄物の分別方法。
【請求項２】
基材、大きさ等が異なる状態にある廃棄物を粒度ごとに分別する回転篩と、この分別された廃棄物の粒度に応じた風力を付与する風力付与装置と、からなる廃棄物分別装置において、
前記回転篩は、その軸が水平より傾斜し、且つ、前記廃棄物の排出口をそれぞれ有する複数の篩網が同心円状で外側のもの程網目が小さくなるように設けられた篩部本体と、該篩部本体の前記廃棄物の供給側に一体的に連結され、且つ、前記廃棄物を最も内側に設けられた前記篩網に供給するための開口部を有する供給側ドラムと、前記篩部本体の前記廃棄物の排出側に一体的に連結された排出側ドラムと、前記供給側ドラム及び排出側ドラムを回転可能に支持する支持部材と、前記供給側ドラム及び排出側ドラムを回転駆動する駆動装置と、を具備し、
前記風力付与装置は、前記複数の篩網の排出口のそれぞれから排出される粒度の異なる廃棄物の比重ごとの落下点を一致させるようにあらかじめ個別に設定された風力を付与する複数の吹出し口を具備することを特徴とする廃棄物分別装置。
【発明の詳細な説明】
【０００１】
【発明の属する技術分野】
本発明は、建物の解体工事等で生じる廃棄物のように、基材、大きさ等が異なる状態にある廃棄物を、その処理方法に応じた基材の種類ごとに分別する廃棄物の分別方法及び該分別方法に使用する廃棄物分別装置に関するものである。
【０００２】
【従来の技術】
建物の解体工事は、通常、素材、部材等の種類を問わずに運搬しやすい大きさにまで重機を使用して行われている。このような解体工事により生じた廃棄物は、その素材及び大きさ等が混合された状態で存在している。このような廃棄物（以下、「混合廃棄物」という。）を適正に処理する場合、その中で一番処理基準が厳しい処理方法に合わせて全体を処理しなければならないという問題点があった。
【０００３】
そこで、建物の解体工事そのものを主に施工業者が手作業で行うか、あるいは建物の解体工事は重機により行い、解体工事により発生した混合廃棄物を施工業者が手作業で分別することにより、混合廃棄物の発生を減少させていた。
【０００４】
【発明が解決しようとする課題】
しかしながら、このような分別方法は、以下のような問題点があった。
まず、解体工事そのものを主に手作業で行う場合にあっては、作業者を不安定な作業床に長時間置くことになるので、作業者の危険度が増すことになるという問題点があった。
【０００５】
また、建物の解体工事は重機により行い、解体工事で発生した混合廃棄物を作業者が手作業で分別する場合にあっては、各部材が非常に細かく解体されるため、粒度の小さい混合廃棄物を効率的に分別することは困難であるという問題点があった。
そして、いずれの場合であっても、費用が高くなるという問題点があった。
【０００６】
本発明は、前記課題に鑑みてなされたものであり、能率的な従来の重機による解体方法を生かしつつ、混合廃棄物を効率的にその処理方法に応じた基材の種類ごとに分別することができる廃棄物の分別方法及び該分別方法に使用する廃棄物分別装置を提供することを目的とするものである。
【０００７】
【課題を解決するための手段】
前記目的を達成するためになされた請求項１に記載の廃棄物の分別方法は、その軸が水平より傾斜し、且つ、廃棄物の排出口をそれぞれ有する複数の篩網が同心円状で外側のもの程網目が小さくなるように設けられた篩部本体と、該篩部本体の前記廃棄物の供給側に一体的に連結され、且つ、前記廃棄物を最も内側に設けられた前記篩網に供給するための開口部を有する供給側ドラムと、前記篩部本体の前記廃棄物の排出側に一体的に連結された排出側ドラムと、前記供給側ドラム及び排出側ドラムを回転可能に支持する支持部材と、前記篩部本体、供給側ドラム及び排出側ドラムを回転駆動する駆動装置と、を具備して、基材、大きさ等が異なる状態にある前記廃棄物を粒度ごとに分別する回転篩と、前記複数の篩網の排出口のそれぞれから排出される粒度の異なる廃棄物の比重ごとの落下点を一致させるようにあらかじめ個別に設定された風力を付与する複数の吹出し口を具備して分別された前記廃棄物の粒度に応じた風力を付与する風力付与装置と、からなる廃棄物分別装置を用いて、前記廃棄物を基材の種類ごとに分別する廃棄物の分別方法であって、前記駆動装置により前記篩部本体、供給側ドラム及び排出側ドラムを回転駆動することによって前記供給ドラムの開口部から最も内側に設けられた前記篩網に供給された前記廃棄物を粒度ごとに分別し、その分別されて前記複数の篩網の各排出口から排出される廃棄物に前記風力付与装置の各吹出し口から粒度に応じて設定された前記風力を付与することを特徴とするものである。
【０００８】
請求項２に記載の廃棄物分別装置は、基材、大きさ等が異なる状態にある廃棄物を粒度ごとに分別する回転篩と、この分別された廃棄物の粒度に応じた風力を付与する風力付与装置と、からなる廃棄物分別装置において、前記回転篩は、その軸が水平より傾斜し、且つ、前記廃棄物の排出口をそれぞれ有する複数の篩網が同心円状で外側のもの程網目が小さくなるように設けられた篩部本体と、該篩部本体の前記廃棄物の供給側に一体的に連結され、且つ、前記廃棄物を最も内側に設けられた前記篩網に供給するための開口部を有する供給側ドラムと、前記篩部本体の前記廃棄物の排出側に一体的に連結された排出側ドラムと、前記供給側ドラム及び排出側ドラムを回転可能に支持する支持部材と、前記供給側ドラム及び排出側ドラムを回転駆動する駆動装置と、を具備し、前記風力付与装置は、前記複数の篩網の排出口のそれぞれから排出される粒度の異なる廃棄物の比重ごとの落下点を一致させるようにあらかじめ個別に設定された風力を付与する複数の吹出し口を具備することを特徴とするものである。
【０００９】
【発明の実施の形態】
以下、本発明の実施の形態について図面に基づいて説明する。
本発明の実施の形態に係る廃棄物分別装置１は、図１に示すように、基材、大きさ等が異なる状態にある廃棄物Ｗを粒度ごとに分別する篩である回転篩２と、この分別された廃棄物の粒度に応じた風力を付与する風力付与装置３とを備えている。以下更に詳細に説明する。
【００１０】
回転篩２は、図１に示すように、その軸が水平より傾斜している篩部本体４と、該篩部本体４の廃棄物の供給側（以下単に「供給側」という。）に一体的に連結された供給側ドラム５と、篩部本体４の廃棄物の排出側（以下単に「排出側」という。）に一体的に連結された排出側ドラム６と、篩部本体４、供給側ドラム５及び排出側ドラム６を回転可能に支持する支持部材７と、これらを回転駆動する駆動装置８とからなる。
【００１１】
篩部本体４は、図２、図３及び図４に示すように、内周側篩網９と、外周側篩網１０と、円筒ドラム１１とからなる。
内周側篩網９は、内周側環状フレーム９ａと、該内周側環状フレーム９ａの軸方向に延びるように内周側環状フレーム９ａの円周方向に所定角度で一体的に連結されている複数本の長尺の直線フレーム９ｂと、断面略円弧状に湾曲された網状体からなる複数枚の篩網９ｃとから構成されている。
【００１２】
外周側篩網１０は、内周側篩網９と同様の構造を有しており、外周側環状フレーム１０ａと、複数本の長尺の直線フレーム１０ｂと、複数枚の篩網１０ｃとから構成されている。このとき、直線フレーム１０ｂの長さは、内周側篩網９の直線フレーム９ｂよりも短く、篩網１０ｃの網目は内周側篩網９の篩網９ｃの網目よりも十分に細かいものとする。
【００１３】
円筒ドラム１１は、外周側篩網１０の外側に外周側篩網１０に平行に設けられている。円筒ドラム１１は、特に設ける必要はないが、円筒ドラム１１を設置することにより廃棄物を効率的に排出側ドラム６側に集めることができると共に、粉塵の発生を押えることができる。
内周側篩網９、外周側篩網１０及び円筒ドラム１１は、内周側環状フレーム９ａから円筒ドラム１１に向けて、複数本の直線フレーム１２が放射線状に所定の角度で取付けられることにより連結されている。
【００１４】
内周側篩網９、外周側篩網１０、円筒ドラム１１の各部材の取付手段は、溶接でも、ボルト・ナットでもよく、好適に篩部本体４を構成することができればその手段は問わない。また、図示はしないが、直線フレーム１２を延長させることにより、外周側篩網１０の外側に、若しくは内周側篩網９の内側に更に篩網を設けて、より細かく分別を行えるようにしてもよい。
【００１５】
篩部本体４の供給側には、図１、図２に示すように、供給側ドラム５が篩部本体４の軸方向一端側に一体的に連結されている。供給側ドラム５は、円筒ドラム１１の径と略等しい径を有する円筒で、供給側ドラム５の篩部本体４に対向する側には、開口部５ａが形成されている。そして、シュート部材１３を設けて、該シュート部材１３の一端側を供給側ドラム５に挿通し、シュート部材１３の他端側の供給口１３ａから廃棄物を篩部本体４の内周側篩網９内に供給するようにしている。このとき、シュート部材１３を設けないで、直接供給側ドラム５の開口部５ａに供給するようにしてもよい。
【００１６】
また、篩部本体４の排出側には、排出側ドラム６が篩部本体４の軸方向他端側に一体的に連結されている。排出側ドラム６は、供給側ドラム５と同様に、円筒ドラム１１の径と略等しい径を有する円筒である。
【００１７】
供給側ドラム５、排出側ドラム６は、図１に示すように、それぞれ支持部材７により支持されている。該支持部材７は、基台７ａ上に支持具７ｂ、支軸７ｃを介して１対の溝形ローラ７ｄが回転自在に配置されている。また、供給側ドラム５、排出側ドラム６の外周には環状突起７ｅが形成され、溝形ローラ７ｄが環状突起７ｅに回転自在に係合することにより、支持部材７は、供給側ドラム５、排出側ドラム６を回転自在に支持すると共に回転篩２の軸方向への移動を規制している。
【００１８】
供給側ドラム５には、回転篩２を回転駆動させる駆動装置８が備えられている。供給側ドラム５の外周には従動スプロケット８ａが設けられるとともに、回転篩２を回転駆動させるためのモータ８ｂの出力軸上には駆動スプロケット８ｃが取り付けられており、該駆動スプロケット８ｃと従動スプロケット８ａとはチェーン８ｄにより連結され、モータ８ｂによってチェーン８ｄを介して回転篩２が回転駆動されるようになっている。
【００２０】
次に風力付与装置３について説明する。
風力付与装置３は、図１、図５に示すように、篩部本体４の排出口１４に向けて略水平方向に吹出し口１５が備えられており、操作者が任意の時点で動作の開始または停止及び風力の調整を行うことができる。具体的には、内周側篩網９、外周側篩網１０及び円筒ドラム１１の各排出口１４ａ、１４ｂ及び１４ｃのそれぞれに対して吹出し口１５ａ、１５ｂ及び１５ｃが備えられており、該吹出し口１５ａ、１５ｂ及び１５ｃから吹出される風力Ｐ１、Ｐ２及びＰ３は、それぞれ各排出口１４ａ、１４ｂ及び１４ｃから排出される粒度の異なる廃棄物の比重ごとの落下点を一致させるようにあらかじめ個別に設定されている。
【００２１】
以下、前記構成を有する廃棄物分別装置１により混合廃棄物Ｗを分別する場合の動作について説明する。
まず、図２、図４に示すように、作動時において回転篩２は、駆動装置８により一定速度で回転駆動される。この状態で、図外の廃棄物供給装置等から混合廃棄物Ｗをシュート部材１３の供給口１３ａへ供給する。供給された混合廃棄物Ｗは、シュート部材１３を介して内周側篩網９に供給される。
【００２２】
篩部本体４の内周側篩網９内に導入された混合廃棄物Ｗは、篩部本体４の軸が水平方向より傾斜されているので、その自重により篩部本体４の軸方向中央部へ移動する。篩部本体４の回転に伴って分別が行われ、内周側篩網９の網目を通過可能な粒度の廃棄物が内周側篩網９外へ排出される。そして、内周側篩網９の網目を通過しない廃棄物Ｗ１は排出口１４ａ側へ送られる。
内周側篩網９を通過した廃棄物は、前述と同様に篩部本体４の回転に伴って分別が行われ、外周側篩網１０の網目を通過可能な粒度の廃棄物が外周側篩網１０外へ排出される。そして、外周側篩網１０の網目の網目を通過しない廃棄物Ｗ２は排出口１４ｂ側へ送られる。
外周側篩網１０を通過した廃棄物Ｗ３は、円筒ドラム１１の内周側に蓄積されると共に、その自重により排出口１４ｃ側へ送られる。
【００２３】
各廃棄物Ｗ１、Ｗ２及びＷ３は、図５、図６に示すように、各排出口１４ａ、１４ｂ及び１４ｃから順次排出され自然落下する。そして、落下途中の各廃棄物Ｗ１、Ｗ２及びＷ３に対して各吹出し口１５ａ、１５ｂ及び１５ｃから風力Ｐ１、Ｐ２及びＰ３を付与する。このとき、各廃棄物Ｗ１、Ｗ２及びＷ３の排出口１４ａ、１４ｂ及び１４ｃが異なる位置に設けられているので、落下途中で粒度の異なる廃棄物どうしが混合されることはない。また、落下途中に風力を付与することで、各廃棄物Ｗ１、Ｗ２及びＷ３に満遍なく風力が付与されることとなり分別の効率が高くなる。
【００２４】
風力Ｐ１が付与された廃棄物Ｗ１のうち、比重の大きなものは排出口１５の直下及びその近傍に落下し、比重が小さくなるにしたがって遠くへ飛ばされる。廃棄物Ｗ２、Ｗ３についても同様に、その比重により落下点を変化させることで比重による分別が行われる。
このとき、前述のように、風力Ｐ１、Ｐ２及びＰ３を各廃棄物Ｗ１、Ｗ２及びＷ３の粒度に応じて設定しておくことにより、廃棄物の粒度に関係なく、比重ごとの落下点を概ね一致させることが可能となり、粒度で分別されていた廃棄物Ｗがその比重、すなわち各廃棄物の基材の種類ごとに再分別される。
【００２５】
以上により、混合廃棄物は粒度に関係なく基材の種類ごとに分別され、例えば、建物等の解体工事により生じる廃棄物は、比重が大きい廃棄物、すなわちコンクリート、ラスモルタル及び瓦類等は排出口直下及びその近傍に落下し、比重が小さい廃棄物、すなわち木片及び紙類等は遠くへ飛ばされて、コンクリート、ラスモルタル及び瓦類等と、土、砂類等と、木片、紙類等に分別される。そして、大部分の重量を占める土砂、コンクリートがら及びモルタル類等を除去したり、これらを再利用したり、また、土砂、コンクリートがら及びモルタル類等を除去した後の残存物を更に二次分別したり、再利用したりする等して基材の種類ごとに分別された廃棄物を集積し、各廃棄物の処理方法に応じた処理を行う。
【００２６】
【発明の効果】
以上の説明からも明らかなように、本発明の請求項１に係る廃棄物の分別方法によれば、駆動装置により篩部本体、供給側ドラム及び排出側ドラムを回転駆動することによって供給ドラムの開口部から最も内側に設けられた篩網に供給された基材、大きさ等が異なる状態にある廃棄物を粒度ごとに分別し、その分別されて複数の篩網の各排出口から排出される廃棄物に風力付与装置の各吹出し口から粒度に応じて設定された風力を付与するので、各廃棄物の粒度に関係なく基材の種類ごとに分別することができるという利点がある。これにより、分別された廃棄物をその処理方法に応じて処理することが可能となり、その処理費用を削減することができるだけでなく、処分場への負担を減らすことができるという利点がある。
【００２７】
請求項２に係る廃棄物分別装置によれば、基材、大きさ等が異なる状態にある廃棄物を粒度ごとに分別する回転篩と、この分別された廃棄物の粒度に応じた風力を付与する風力付与装置と、からなり、前記回転篩は、その軸が水平より傾斜し、且つ、前記廃棄物の排出口をそれぞれ有する複数の篩網が同心円状で外側のもの程網目が小さくなるように設けられた篩部本体と、該篩部本体の前記廃棄物の供給側に一体的に連結され、且つ、前記廃棄物を最も内側に設けられた前記篩網に供給するための開口部を有する供給側ドラムと、前記篩部本体の前記廃棄物の排出側に一体的に連結された排出側ドラムと、前記供給側ドラム及び排出側ドラムを回転可能に支持する支持部材と、前記供給側ドラム及び排出側ドラムを回転駆動する駆動装置と、を具備し、前記風力付与装置は、前記複数の篩網の排出口のそれぞれから排出される粒度の異なる廃棄物の比重ごとの落下点を一致させるようにあらかじめ個別に設定された風力を付与する複数の吹出し口を具備するので、効率的に各廃棄物の基材の種類ごとに分別することができるという利点がある。また、同じような混合物を分類する手段として、廃棄物以外の用途にも使用することができるという利点がある。
【図面の簡単な説明】
【図１】本実施形態に係る廃棄物分別装置を示す模式図。
【図２】本実施形態に係る回転篩の断面図。
【図３】図１のＡ−Ａ断面図。
【図４】使用時における図１のＡ−Ａ断面図。
【図５】使用時における図２の排出口側を示す模式図。
【図６】使用時における図２の排出口側部分拡大図。
【符号の説明】
１  廃棄物分別装置
２  回転篩
３  風力付与装置
４  篩部本体
５  供給側ドラム
６  排出側ドラム
９  内周側篩網
１０  外周側篩網
１１  円筒ドラム
１４  排出口
１５  吹出し口
Ｐ１、Ｐ２、Ｐ３  風力
Ｗ  混合廃棄物
Ｗ１、Ｗ２、Ｗ３  廃棄物
【図１】
0003688191.tif 000002
【図２】
0003688191.tif 000003
【図３】
0003688191.tif 000004
【図４】
0003688191.tif 000005
【図５】
0003688191.tif 000006
【図６】
0003688191.tif 000007